(57)【要約】【課題】  トリップの原因が漏電にあったのか、端子ねじの緩みにあったのか、ユーザーに分かりやすい漏電遮断器を提供する。【解決手段】  端子部３，４において、端子ねじ５の緩みによる接続不良を検出する。遮断器ケース２の内部に、漏電電流が流れたときに主接点を開く第１電磁装置と、端子部３，４の接続不良が検出されたときに主接点を開く第２電磁装置とを設ける。ハンドル１１の両側に、第１電磁装置によるトリップ状態を表示する漏電表示部材１２と、第２電磁装置によるトリップ状態を表示する接続不良表示部材１４とを設ける。第２電磁装置は、接点引外し部材を駆動する電磁石と、電磁石の動力を用いて接続不良表示部材１４を非表示位置から表示位置に移動する連係部材とを備える。連係部材をハンドル１１に連結し、ハンドル１１により連係部材を介して接続不良表示部材１４を表示位置から非表示位置に移動する。【選択図】        図１
2014072178.tif 000002
【特許請求の範囲】
【請求項１】
電路に漏電電流が流れたときに主接点を開く第１電磁装置と、第１電磁装置によるトリップ状態を表示する漏電表示部材と、端子ねじの緩みによる端子部の接続不良が検出されたときに主接点を開く第２電磁装置と、第２電磁装置によるトリップ状態を表示する接続不良表示部材とを備えことを特徴とする漏電遮断器。
【請求項２】
前記第２電磁装置が、接点引外し部材を駆動する電磁石と、電磁石の動力を用いて接続不良表示部材を非表示位置から表示位置に移動する連係部材とを含む請求項１記載の漏電遮断器。
【請求項３】
前記主接点を手動で開閉するハンドルを備え、連係部材をハンドルに連結し、ハンドルにより連係部材を介して接続不良表示部材を表示位置から非表示位置に移動する請求項２記載の漏電遮断器。
【請求項４】
前記ハンドルを挟む二箇所に漏電表示部材と接続不良表示部材とを設けた請求項３記載の漏電遮断器。
【発明の詳細な説明】
【技術分野】
【０００１】
本発明は、漏電遮断機能に加え、端子部に接続不良が発生したときに電路を遮断する機能を備えた漏電遮断器に関する。
【背景技術】
【０００２】
この種の漏電遮断器として、例えば、特許文献１には、図５に示すような端子部３において、端子ねじ５の緩みで圧着端子６と端子座７との間に接続不良が発生したときに、接続不良検出回路９により端子座７とナット８６との電位差を検出し、この電位差が既定値を超えたとき、漏電検出時と同様に、電磁装置を動作させ、主接点を開いて電路を遮断する技術が記載されている。
【先行技術文献】
【特許文献】
【０００３】
【特許文献１】特開２０１１−１６５５１４号公報
【特許文献２】特許第３６８７５４３号公報
【発明の概要】
【発明が解決しようとする課題】
【０００４】
ところが、従来の漏電遮断器には、漏電状態を表示する手段が設けられているが、端子ねじ５の緩みによる接続不良を表示する手段が設けられていなかった。このため、遮断器がトリップしたときに、ユーザーは、トリップの原因が漏電にあったのか、端子ねじ５の緩みにあったのか分からず、電路の復旧に手間取るという問題点があった。
【０００５】
なお、特許文献２には、欠相保護付漏電遮断器において、漏電を検出したときに漏電表示部材を動作させ、欠相を検出したときに欠相表示部材を動作させる技術が記載されている。
【０００６】
本発明は、上記問題点に着目してなされたものであり、その目的は、トリップの原因が漏電にあったのか、端子ねじの緩みにあったのか、ユーザーに分かりやすい漏電遮断器を提供することにある。
【課題を解決するための手段】
【０００７】
上記課題を解決するために、本発明は次のような漏電遮断器を提供する。
（１）電路に漏電電流が流れたときに主接点を開く第１電磁装置と、第１電磁装置によるトリップ状態を表示する漏電表示部材と、端子ねじの緩みによる端子部の接続不良が検出されたときに主接点を開く第２電磁装置と、第２電磁装置によるトリップ状態を表示する接続不良表示部材とを備えたことを特徴とする漏電遮断器。
【０００８】
（２）第２電磁装置が、接点引外し部材を駆動する電磁石と、電磁石の動力を用いて接続不良表示部材を非表示位置から表示位置に移動する連係部材とを備えたことを特徴とする漏電遮断器。
【０００９】
（３）主接点を手動で開閉するハンドルを備え、連係部材をハンドルに連結し、ハンドルにより連係部材を介して接続不良表示部材を表示位置から非表示位置に移動することを特徴とする漏電遮断器。
【００１０】
（４）ハンドルを挟む二箇所に漏電表示部材と接続不良表示部材とを設けたことを特徴とする漏電遮断器。
【発明の効果】
【００１１】
本発明の漏電遮断器によれば、漏電表示部材とは別に接続不良表示部材を設けたので、ユーザーは、トリップの原因が漏電にあったのか、端子ねじの緩みにあったのか容易に判別でき、電路を早期に復旧できるという効果がある。
【図面の簡単な説明】
【００１２】
【図１】本発明の一実施形態を示す漏電遮断器の正面図である。
【図２】図１の漏電遮断器の内部を示す正面図である。
【図３】正常時における漏電遮断器の動作状態を示す機構図である。
【図４】接続不良発生時における漏電遮断器の動作状態を示す機構図である。
【図５】接続不良検出回路を示す端子部の側面図である。
【発明を実施するための形態】
【００１３】
以下、本発明の実施形態を図面に基づいて説明する。図１に示す漏電遮断器１は、ケース２の一端に３つの電源側端子部３を備え、ケース２の他端に同数の負荷側端子部４を備えている。電源側端子部３および負荷側端子部４には、それぞれ端子ねじ５と端子座７とナット８とが配設されている。そして、端子座７とナット８との電位差を接続不良検出回路９（図４参照）で検出し、その検出信号を漏電遮断器１の制御回路（図示略）に出力するようになっている。
【００１４】
遮断器ケース２の前面には、主接点を手動で開閉するハンドル１１が設けられている。ハンドル１１の片側（図１の右側）には、漏電に起因するトリップ状態を表示する漏電表示部材１２と、漏電を疑似的に発生させるテストボタン１３とが設けられている。ハンドル１１の反対側には、端子ねじ５の緩みに起因するトリップ状態を表示する接続不良表示部材１４が設けられている。なお、接続不良を疑似的に発生させるテストボタンを接続不良表示部材１４の近傍に設けてもよい。
【００１５】
図２に示すように、漏電表示部材１２と対応する位置において、遮断器ケース２の内部には、電路に漏電電流が流れたときに主接点を開く第１電磁装置１５と、テストボタン１３に連動するスイッチ金具１６とが設置されている。また、接続不良表示部材１４と対応する位置において、遮断器ケース２の内部には、端子ねじ５の緩みによる端子部３，４の接続不良が検出されたときに主接点を開く第２電磁装置１７が設置されている。
【００１６】
なお、漏電表示部材１２、第１電磁装置１５および漏電検出回路の構成は、特に限定されず、従来周知の各種技術を採用することができる。また、漏電表示部材１２と第１電磁装置１５については、次に説明する接続不良表示部材１４および第２電磁装置１７と同様の構成を採用することもできる。
【００１７】
図３、図４に示すように、主接点２１は固定接点２２と可動接点２３とからなり、可動接点２３が接点引外し部材２４に係合し、接点引外し部材２４がリンク２５とシャフト２６を介してハンドル１１に連結されている。第２電磁装置１７は電磁石２７と連係部材２８とを備え、連係部材２８の折曲部２９が電磁石２７のプランジャ３０に当接し、連係部材２８の長孔部３１がシャフト２６を介してハンドル１１に連結されている。連係部材２８の下縁には段付きカム３２が形成され、このカム３２に接続不良表示部材１４の下端係合部３３が係合している。
【００１８】
接続不良表示部材１４は、上端に遮断器ケース２の表示窓３４より出没自在な表示部３５を備え、バネ３６によって常に上方へ付勢されている。電路が正常な状態にあるときには、図３に示すように、電磁石２７が消磁し、段付きカム３２が接続不良表示部材１４を押し下げ、その表示部３５が表示窓３４内に没入した非表示位置に配置されている。このとき、ハンドル１１は通電位置に配置され、接点引外し部材２４が可動接点２３を固定接点２２に押し付け、主接点２１が閉じた状態に保持されている。
【００１９】
一方、端子ねじ５の緩みによる接続不良が検出されたときには、図４に示すように、電磁石２７が励磁され、プランジャ３０が連係部材２８を押し出し、係合部３３がバネ３６により段付きカム３２の凹所に係合し、接続不良表示部材１４が非表示位置から表示位置に移動し、表示部３５が表示窓３４より突出する。同時に、リンク２５が倒れ、バネ３７により接点引外し部材２４が押し上げられ、可動接点２３が固定接点２２から引き外され、主接点２１が開いて電路を遮断し、ハンドル１１が通電位置から遮断位置に配置される。
【００２０】
したがって、この実施形態の漏電遮断器１は、漏電表示部材１２とは別に接続不良表示部材１４を備えているため、遮断器１がトリップしたときに、その原因が漏電にあったのか、端子ねじ５の緩みにあったのかをユーザーが容易に判別して、電路を速やかに復旧することができる。復旧にあたっては、連係部材２８がシャフト２６でハンドル１１に連結されているので、ハンドル１１を遮断位置から通電位置に操作することで、主接点２１を閉じ、同時に接続不良表示部材１４を表示位置から非表示位置に戻すこともできる。
【００２１】
特に、第２電磁装置１７は、連係部材２８が接点引外し用の電磁石２７の動力を用いて接続不良表示部材１４を駆動するように構成されているので、接続不良を表示するために専用のアクチュエータを装備する必要がなくなり、多機能の漏電遮断器１を安価に製作することができる。また、漏電表示部材１２と接続不良表示部材１４とをハンドル１１を挟む二箇所に設けたので、電路の漏電状態および端子部の接続状態の両方を遮断器ケース２の前面に見やすく表示できるという利点もある。
【００２２】
なお、本発明は上記実施形態に限定されるものではなく、例えば、接続不良表示部材として回転盤を使用し、回転盤の着色により端子部の接続不良を表示したり、接続不良表示部材としてＬＥＤ表示灯を用いたりするなど、発明の趣旨を逸脱しない範囲で、各部の構成を適宜に変更して実施することも可能である。
【符号の説明】
【００２３】
１    漏電遮断器
３    電源側端子部
４    負荷側端子部
５    端子ねじ
９    接続不良検出回路
１１    ハンドル
１２    漏電表示部材
１４    接続不良表示部材
１５    第１電磁装置
１７    第２電磁装置
２１    主接点
２４    接点引外し部材
２７    電磁石
２８    連係部材
【図１】
2014072178.tif 000003
【図２】
2014072178.tif 000004
【図３】
2014072178.tif 000005
【図４】
2014072178.tif 000006
【図５】
2014072178.tif 000007